(57)【特許請求の範囲】
【請求項１】
サムターンケース内に回転自在に挿入されるサムターン軸と、
サムターン軸または錠装置により施解錠回転位置間を回転駆動され、サムターン軸との間に所定の遊び回転角が設定されたジョイント部と、
一端部にサムターンケースのストッパ凹部に係脱するストッパを備えてサムターン軸に連結され、操作ボタン部への操作によりストッパとの係止解除操作が可能な操作レバーとを有し、
前記操作レバーとジョイント部には、ジョイント部の遊び回転角内での回転に伴ってストッパの係止解除方向に操作レバーを駆動するカム面が形成されるサムターン装置。
【請求項２】
前記操作レバーは、一端部にストッパ係止姿勢においてサムターン軸から突出する操作ボタン部を、他端部にカム面とストッパを有して中間部がサムターン軸に揺動自在に軸支され、
ストッパ係止姿勢側に付勢される請求項１記載のサムターン装置。
【請求項３】
前記ストッパ凹部は、施錠回転位置におけるストッパ対向位置にのみ設けられ、
解錠回転位置において操作ボタン部への操作を行うことなくサムターン軸への回転操作が可能な請求項１または２記載のサムターン装置。
【請求項４】
前記サムターン軸に、該サムターン軸とジョイント部との遊び回転角によるずれ矯正方向の回転力を付与する回転位置矯正手段を備える請求項１、２または３記載のサムターン装置。
【請求項５】
前記回転位置矯正手段は、
サムターンケースのサムターン軸との回転境界形成部に開設されるピース収容孔内に収容され、付勢手段によりサムターン軸に圧接する駆動ピースを有し、
前記駆動ピースのサムターン軸当接部は駆動ピースの進退方向に直交する平面により形成されるとともに、
サムターン軸は、施解錠回転位置において前記駆動ピースのサムターン軸当接部に面当たりし、当接境界がサムターンケースとの回転境界に一致する平面部を有する請求項４記載のサムターン装置。
【発明の詳細な説明】
【技術分野】
【０００１】
本発明はサムターン装置に関するものである。
【背景技術】
【０００２】
サムターン軸への回転操作に操作ボタンの押下操作を必要とすることにより不正操作を防止するようにしたサムターン装置としては、特許文献１に記載のものが知られている。この従来例において、サムターン装置は、ボタン脚（操作レバー）が連結されるサムターン筒（サムターン軸）と、錠装置に連結されるコア軸（ジョイント部）とを有する。サムターン軸とジョイント部との境界には、操作レバーにより操作されるストッパと、ジョイント部により操作される挟持板とが配置される。
【０００３】
施錠状態においてストッパは固定筒（サムターンケース）に開設された係合溝（ストッパ凹部）に係止してサムターン軸の回転が規制されており、操作レバーを操作してストッパの係止を解除した後、サムターン軸を回転操作すると、ジョイント部を介して錠装置の施解錠操作を行うことができる。
【０００４】
また、施錠状態において錠装置側をシリンダ錠を使用して回転させると、ジョイント部の回転に追随して挟持板が回転し、次いで、ストッパが係止解除方向に駆動されてサムターン軸の拘束が解除され、サムターン軸も回転する。
【特許文献１】特開２００５-４２４９８号公報
【発明の開示】
【発明が解決しようとする課題】
【０００５】
しかし、上述した従来例は、ジョイント部側の回転によりサムターン軸のロックを解除するための機構が複雑であるという欠点がある。
【０００６】
本発明は、以上の欠点を解消すべくなされたものであって、簡単な構造で、錠装置側への操作によりサムターン軸のロックを解除することのできるようにして全体の構造を簡単にしたサムターン装置の提供を目的とする。
【課題を解決するための手段】
【０００７】
本発明によれば上記目的は、
サムターンケース１内に回転自在に挿入されるサムターン軸２と、
サムターン軸２または錠装置により施解錠回転位置間を回転駆動され、サムターン軸２との間に所定の遊び回転角が設定されたジョイント部３と、
一端部にサムターンケース１のストッパ凹部４に係脱するストッパ５を備えてサムターン軸２に連結され、操作ボタン部６への操作によりストッパ５との係止解除操作が可能な操作レバー７とを有し、
前記操作レバー７とジョイント部３には、ジョイント部３の遊び回転角内での回転に伴ってストッパ５の係止解除方向に操作レバー７を駆動するカム面８が形成されるサムターン装置を提供することにより達成される。
【０００８】
サムターン軸２に連結される操作レバー７の一端にはストッパ５が形成され、ストッパ５がサムターンケース１側のストッパ凹部４に係止した状態ではサムターン軸２への回転操作が規制される。ストッパ５の係止解除操作は、サムターン軸２側、すなわち室内側から操作ボタン部６を操作して行う以外に、室外側から錠装置を操作することにより、すなわち、シリンダ錠を使用して錠装置を操作することにより行うことができる。
【０００９】
室外側からジョイント部３を回転操作すると、まず、サムターン軸２との遊び回転角度内でジョイント部３のカム面８により操作レバー７が直接操作されてストッパ５解除位置側に移動し、次いで、ジョイント部３にサムターン軸２が追随して回転動作する。操作レバー７のカム面８を直接ジョイント部３のカム面８に対峙させてストッパ５の解除動作を行う本発明において、部品点数が少なくなり、かつ、構造を簡単にすることができる。
【発明の効果】
【００１０】
本発明によれば、簡単な構造で、錠装置側への操作によりサムターン軸のロックを解除することのできるために、全体の構造を簡単にすることができる。
【発明を実施するための最良の形態】
【００１１】
図１に示すように、サムターン装置は、サムターンケース１内にサムターン軸２とジョイント部３とを回転自在に収容して形成される。サムターンケース１には、扉１３に開設されたサムターン装着穴１３ａを閉塞するためのサムターンローズ１４が装着される。サムターンローズ１４は截頭円錐形状に形成され、扉１３の板厚にばらつきがあっても後端縁（本明細書において扉表面側を「前」とする。）が扉表面に当接するように、圧縮スプリング１４ａにより後方に付勢される。
【００１２】
ジョイント部３は、一端が図外の錠装置に連結されるジョイント１５と、サムターンケース１内に収容され、連結ピン３ａを介してジョイント１５に一体に連結される中継筒１６とを有する。このジョイント部３は、錠装置の施解錠回転位置に対応して施解錠回転位置間を回転駆動される。この実施の形態において、錠装置の施解錠操作角は９０°であり、これに対応してジョイント部３は、図１（ａ）に示す施錠回転位置と、この位置から正面視、すなわち、図１（ｂ）方向から見て反時計方向に９０°回転した解錠回転位置との間を回転駆動される。
【００１３】
上記中継筒１６の前端にはカム凹部１６ａが形成され、後述する操作レバー７のカム突部７ａが侵入する。図２（ｃ）に示すように、カム凹部１６ａの内壁面には湾曲凹面状のカム面８が対向位置に形成される。カム面８の終端には押動面１６ｂが形成される。
【００１４】
サムターン軸２は、図２（ａ）に示すように、前端部に形成される板状の摘み部１７ａの後端から筒状部１７ｂを延設した軸本体部１７を有し、軸本体部１７の前端にビス２ａを使用して頭部部材１８が連結される。図１（ｂ）に示すように、頭部部材１８を連結した状態で、サムターン軸２の前端は正面視において一文字形状を有し、回転位置により錠装置の施解錠状態を判別することができる。また、頭部部材１８には、夜間においてもサムターン軸２の位置を知ることができるように、蓄光材が塗布し、あるいは成型時に混入することができる。
【００１５】
図２（ａ）、（ｃ）に示すように、上記サムターン軸２の筒状部１７ｂの後端には、サムターンケース１に挿入した状態でジョイント部３のカム凹部１６ａに進入する押動突部１７ｃが形成される。押動突部１７ｃは、サムターン軸２を回転させた際にジョイント部側の押動面１６ｂに干渉可能な位置に形成され。図２（ｃ）に示すように、押動突部１７ｃと押動面１６ｂとの間には遊び回転角（θ）が設定されており、サムターン軸２、あるいはジョイント部３のいずれか一方が遊び回転角（θ）だけ相対回転した際に互いに接触する。
【００１６】
また、サムターン軸２とサムターンケース１との間には、回転位置矯正手段９が構成される。図２（ｄ）に示すように、回転位置矯正手段９は、サムターンケース１のサムターン軸２との回転境界形成部に開設されるピース収容孔１０に収容される駆動ピース１１と、サムターン軸２の外壁に形成される平面部１２とからなる。駆動ピース１１は、サムターン軸２の回転中心に向けて進退自在であり、圧縮スプリング（付勢手段９ａ）によりサムターン軸２側に付勢される。
【００１７】
この駆動ピース１１のサムターン軸２との当接部は平面により形成されており、サムターン軸２には、施解錠回転位置において駆動ピース１１側の平面に当接する平面部１２が形成される。平面部１２は、駆動ピース１１との当接境界をサムターンケース１との回転境界上に位置させることによりサムターン軸２の回転が可能な位置に配置される。
【００１８】
したがってこの実施の形態において、図４（ｄ）に示すように、サムターン軸２が施解錠回転位置を超えてオーバストロークすると、平面部１２の境界が駆動ピース１１から押圧力を受ける。この結果、サムターン軸２には施解錠回転位置側に復帰する方向（図４（ｄ）においては時計回り）の回転力が発生し、施解錠回転位置に復帰する。
【００１９】
さらに、サムターン軸２には、摘み部１７ａを２股に分岐して筒状部１７ｂ内に至る正面視矩形のレバー収容孔２ｃが設けられ、このレバー収容孔２ｃ内に２本の操作レバー７が収容される。
【００２０】
図１、２に示すように、操作レバー７は、一端に操作ボタン部６を他端部にストッパ５を備え、中間部がヒンジピン７ｂを利用してサムターン軸２に回転自在に連結される。この操作レバー７は、同一形状のものがヒンジピン７ｂによりＸ字形状に連結され、連結状態において、操作ボタン部６が摘み部１７ａの側壁部に位置してサムターンケース１外に露出し、ストッパ５がサムターンケース１内に格納される。
【００２１】
上記操作ボタン部６、６間には、圧縮スプリング７ｃが介装されて操作レバー７は操作ボタン部６間が離隔する方向に付勢され、後述するように、サムターン軸２が施錠回転位置にあるときには、操作ボタン部６は摘み部１７ａの側壁から突出し、ストッパ５はストッパ凹部４に嵌合する。
【００２２】
図１（ａ）、図２（ｂ）に示すように、ストッパ５は、サムターンケース１外方に向けて突設されており、サムターン軸２の筒状部１７ｂに開設されたストッパ挿通開口２ｄ内に挿入する。このストッパ５は、サムターン軸２が施錠回転位置にあるときに、サムターンケース１に形成されたストッパ凹部４に正対し、操作ボタン部６が摘み部１７ａの側壁部から突出した状態においてストッパ凹部４に嵌合する。
【００２３】
ストッパ５がストッパ凹部４に嵌合した状態においてサムターン軸２はサムターンケース１に拘束されて回転操作が規制され、この状態から図３（ａ）に示すように、圧縮スプリング７ｃの付勢力に抗して操作ボタン部６を押下すると、図３（ｃ）に示すように、ストッパ５はストッパ凹部４から退避し、以後、サムターン軸２への回転操作が可能になる。
【００２４】
また、操作レバー７の後端にはカム突部７ａが形成される。図１（ａ）、図２（ｃ）に示すように、カム突部７ａはサムターンケース１外方側に突出しており、ジョイント部３のカム凹部１６ａに対応する。カム突部７ａの先端には、円弧状のカム面８が形成される。
【００２５】
したがってこの実施の形態において、上述したように、図１に示す施錠状態では、操作レバー７のストッパ５がストッパ凹部４に嵌合しているために、摘み部１７ａを操作して錠装置を操作することはできない。この状態で図３（ａ）に示すように、操作摘み部１７ａを押し下げると、ストッパ５がストッパ凹部４から脱離するとともに、カム突部７ａのカム面８がジョイント部３側のカム面８から離れる。
【００２６】
この状態でサムターン軸２を解錠回転位置側に回転させると、図４（ａ）に示すように、まず、サムターン軸２だけが遊び回転角（θ）回転して押動面１６ｂがジョイント部３側の押動突部１７ｃに当接する。この後、さらにサムターン軸２を回転させると、ジョイント部３もサムターン軸２とともに回転する。サムターン軸２による操作角度は遊び回転角だけロスがあるために、ジョイント部３を解錠回転位置まで回転させるためには、図４（ｂ）に示すサムターン軸２は遊び回転角分解錠回転位置からオーバストロークさせる必要があり、当該位置において錠装置は解錠状態に移行する。
【００２７】
上述したように、オーバストローク位置においては、図４（ｄ）に示すように、回転位置矯正手段９によりサムターン軸２には解錠回転位置側に付勢力が働き、サムターン軸２から手を離すと、図４（ｃ）に示すように、サムターン軸２は解錠回転位置に自動復帰する。この状態で摘み部１７ａは解錠状態に対応する姿勢を取るために、在室者は摘み部１７ａの位置を見るだけで現在解錠状態にあると知ることができる。
【００２８】
また、施錠状態において室外側から図外のシリンダ錠を操作して解錠操作を行う場合には、まず、シリンダ錠への操作によりジョイント部３側が回転駆動される。図２（ｃ）に示す施錠状態から、ジョイント部３が解錠回転位置側に回転操作されると、設定された遊び回転角内のジョイント部３の回転により、図５（ａ）に示すように、ジョイント部３のカム面８は操作レバー７のカム突部７ａのカム面８を押し付けて操作レバー７を接近方向に回転させる。
【００２９】
この結果、ストッパ５は、図３（ｃ）に示すようにストッパ凹部４から脱離してサムターン軸２の拘束が解除される。この後、ジョイント部３をさらに回転させると、図５（ｂ）に示すように、９０°の操作角を有するジョイント部３は、サムターン軸２が解錠回転位置に達しない前に解錠回転位置に達する。この遊び回転角によるサムターン軸２の回転操作角のロスは、上記回転位置矯正手段９により解消され、サムターン軸２は解錠回転位置側に強制回転駆動される（図５（ｃ）参照）。
【００３０】
以上のようにしてサムターン軸２の解錠回転位置への移行に際して、ストッパ５はストッパ凹部４からサムターン軸２内に収容される。ストッパ凹部４は、サムターン軸２が施錠回転位置でストッパ５に正対する位置にのみ形成されているために、サムターン軸２内に収容されたストッパ５は、サムターンケース１の内壁面に当接して飛び出すことができず、結果、図４（ｃ）に示すように、操作レバー７も接近状態となり、操作ボタン部６も押圧状態に保持される。
【００３１】
この解錠状態からサムターン軸２を時計回りに回転操作して施錠状態に移行させると、まず、図６（ａ）に示すように、遊び回転角だけサムターン軸２がジョイント部３に対して空転した後、ジョイント部３を連れ回り、図６（ｂ）に示すように、オーバストロークした位置でジョイント部３が施錠回転位置に達する。この後、図６（ｃ）に示すように、回転位置矯正手段９によりサムターン軸２のオーバストロークが矯正される。この状態でストッパ５はストッパ凹部４に嵌合するとともに、操作レバー７は離隔関係となり、操作ボタン部６が摘み部１７ａ側壁部から突出する。
【００３２】
これに対し、室外から施錠操作が行われた場合には、まず、図７（ａ）に示すように、ジョイント部３のみが回転した後、図７（ｂ）に示すようにサムターン軸２のストローク不足状態で施錠状態に移行し、回転位置矯正手段９によりサムターン軸２のストロークロスが矯正される（図７（ｃ）参照）。
【図面の簡単な説明】
【００３３】
【図１】本発明を示す図で、（ａ）は断面図、（ｂ）は正面図である。
【図２】図１の断面図で、（ａ）は図１（ａ）の２Ａ線に沿う断面図、（ｂ）は図１（ａ）の２Ｂ-２Ｂ線断面図、（ｃ）は図１（ａ）の２Ｃ-２Ｃ線断面図、（ｄ）は図１（ａ）の２Ｄ-２Ｄ線断面図である。
【図３】ストッパを解除した状態を示す図で、（ａ）は図１（ａ）に対応する図、（ｂ）は図２（ｃ）に対応する図、（ｃ）は図２（ｂ）に対応する図である。
【図４】サムターン軸により解錠操作をした場合を示す図で、（ａ）は回転開始時を示す図、（ｂ）は解錠完了状態を示す図、（ｃ）は回転位置強制手段が動作した状態を示す図である。
【図５】ジョイント部側から解錠操作をした場合を示す図で、（ａ）は回転開始時を示す図、（ｂ）は解錠完了状態を示す図、（ｃ）は回転位置強制手段が動作した状態を示す図である。
【図６】サムターン軸により施錠操作をした場合を示す図で、（ａ）は回転開始時を示す図、（ｂ）は施錠完了状態を示す図、（ｃ）は回転位置強制手段が動作した状態を示す図である。
【図７】ジョイント部側から解錠操作をした場合を示す図で、（ａ）は回転開始時を示す図、（ｂ）は施錠完了状態を示す図、（ｃ）は回転位置強制手段が動作した状態を示す図である。
【符号の説明】
【００３４】
１        サムターンケース
２        サムターン軸
３        ジョイント部
４        ストッパ凹部
５        ストッパ
６        操作ボタン部
７        操作レバー
８        カム面
９        回転位置矯正手段
１０      ピース収容孔
１１      駆動ピース
１２      平面部
【図１】
0004739107.tif 000002
【図２】
0004739107.tif 000003
【図３】
0004739107.tif 000004
【図４】
0004739107.tif 000005
【図５】
0004739107.tif 000006
【図６】
0004739107.tif 000007
【図７】
0004739107.tif 000008